(57)【要約】【課題】フェンスにおける押出中空材の格子組みを容易になし得るとともに格子組みされたフェンスの面強度と耐水平荷重性を高度に確保するようにする。【解決手段】押出中空材１を表裏に交差配置しその各交差位置においてそれぞれ相欠き接合を行なうようにして面強度と耐水平荷重性を確保するとともに相欠きの切欠き部２の加工に際して表裏一方の押出中空材１の片側の切残し壁３に切り起し加工によって緩傾斜した切起し突起４を形成し，相欠き接合時に表裏他方の押出中空材１の切欠き部２がこれを乗り越えて引っ掛るようにやり過ごし係止するようにし，この係止によって押出中空材１双方の接合を自動的に行なうようにしてフェンスの製造を簡易になし得るようにする。【選択図】　　　　図４
2004068482.tif 000002
【特許請求の範囲】
【請求項１】
表裏双方の押出中空材の交差位置にそれぞれ１／２深さに相欠きの切欠きを施すとともに少なくとも表裏一方の押出中空材における片側又は両側の切残し壁にその切欠き部と逆方向に向けて傾斜した切起し突起を形成し，上記相欠きの切欠き部を相互に嵌め合うとともに上記切残し壁の切起し突起に表裏他方の押出中空材における切欠き部の縁部をやり過ごし係止することによって表裏配置の押出中空材を相欠き接合して格子組みしてなることを特徴とする建築用格子仕切体。
【請求項２】
上記切起し突起を表裏一方の押出中空材における片側の切残し壁に配置し，上記やり過ごし係止を交差位置１箇所において行ってなることを特徴とする請求項１に記載の建築用格子仕切体。
【請求項３】
上記切起し突起を交差双方の押出中空材における片側の切残し壁にそれぞれ配置することによって押出中空材を表裏双方で共通化するとともに上記やり過ごし係止を交差位置２箇所において行ってなることを特徴とする請求項１に記載のアルミ製建築用仕切体。
【発明の詳細な説明】
【０００１】
【発明の属する技術分野】
本発明は，門扉，フェンス，面格子，間仕切等の仕切体に関し，特にアルミ等の押出中空材を相欠き接合して格子組みして形成した建築用格子仕切体に関する。
【０００２】
【従来の技術】
この種建築用格子仕切体として，例えば表裏双方の押出中空材の交差位置にそれぞれ１／２深さに相欠きの切欠きを施し，該相欠きの切欠き部を相互に嵌め合うとともにその外周に固定枠を配置し表裏双方の押出中空材の長手方向先端を該固定枠に固定して格子組みし，更にその外周に上下枠乃至左右枠を配置したものが知られている。
【０００３】
【発明が解決しようとする課題】
この場合格子組みの外観を呈する格子仕切体を得られるが，押出中空材はその交差位置で相欠きの嵌め合いがなされる一方，単に嵌め合いに止まり，該交差位置で押出中空材は相互に固定される訳ではないから，外力を受けると交差位置で嵌め合いの外れが生じ易く，特に水平荷重に対して弱いという問題点が残されており，またこのとき外れが生じると表裏の押出中空材がずれる結果，その切欠き部の間に隙間が生じて，これに児童の指が挟まれたりする可能性があり，特に児童が手で押したりして危険を招くという問題点が残されている。
【０００４】
本発明はこのような事情に鑑みてなされたもので，その解決課題とするところは，可及的に製造が容易で高度な耐水平荷重性を確保するとともに指等を挟む危険性を解消した建築用格子仕切体を提供するにある。
【０００５】
【課題を解決するための手段】
上記課題に添って本発明は，相欠きの嵌め合いに伴って交差位置における押出中空材同士の自動的な固定をなし得るようにして格子体として高度な面強度と耐水平荷重性を確保し且つ指等を挟む危険性を解消するとともに上記押出中空材の自動的な固定を少なくとも一方の押出中空材の切り残し壁（上記１／２深さの相欠きの切欠きによって残った１／２高さの残存壁）に切り起し加工によって傾斜した切起し突起を配置し，該切起し突起に対して相欠きの切欠き部が乗り越えて引っ掛るようにやり過ごし係止するものとして簡易且つ確実な固定とこれにより可及的に建築用格子仕切体の製造を容易化するようにしたものであって，即ち請求項１に記載の発明を，表裏双方の押出中空材の交差位置にそれぞれ１／２深さに相欠きの切欠きを施すとともに少なくとも表裏一方の押出中空材における片側又は両側の切残し壁にその切欠き部と逆方向に向けて傾斜した切起し突起を形成し，上記相欠きの切欠き部を相互に嵌め合うとともに上記切残し壁の切起し突起に表裏他方の押出中空材における切欠き部の縁部をやり過ごし係止することによって表裏配置の押出中空材を相欠き接合して格子組みしてなることを特徴とする建築用格子仕切体としたものである。
【０００６】
請求項２に記載の発明は，上記に加えて，可及的に充分な面強度，耐水平荷重性を確保するとともに，やり過ごし係止を複数箇所で行なうことによる切欠き部の嵌め合いのための大きな加圧力を必要とすることなく，可及的に製造を容易化したものとするように，これを，上記切起し突起を表裏一方の押出中空材における片側の切残し壁に配置し，上記やり過ごし係止を交差位置１箇所において行ってなることを特徴とする請求項１に記載の建築用格子仕切体としたものである。
【０００７】
請求項３に記載の発明は，同じく上記に加えて，高度な面強度と耐水平荷重性を確保するとともに，押出中空材の加工が表裏で異なることによる加工の煩雑性を解消し，押出中空材の加工を可及的に表裏で共通化することによって，量産性に適したものとするように，これを，上記切起し突起を交差双方の押出中空材における片側の切残し壁にそれぞれ配置することによって押出中空材を表裏双方で共通化するとともに上記やり過ごし係止を交差位置２箇所において行ってなることを特徴とする請求項１に記載の建築用格子仕切体としたものである。
【０００８】
本発明はこれらをそれぞれ発明の要旨として上記課題解決の手段としたものである。
【０００９】
【発明の実施の形態】
以下図面の例に従って本発明を更に具体的に説明すれば，Ａは，例えばアルミ製のフェンスとした建築用格子仕切体であり，該建築用格子仕切体Ａは，多数の押出中空材１を表裏に交差するように相欠き接合して斜め格子として格子組みし，その外周に上下の固定枠６を介して上下枠８を配置するとともに左右縦枠１０を配置したものとしてあり，上記押出中空材１は，例えば表面幅と側面高さを８×１３ｍｍ程度とする断面矩形をなすように中空に押出成型したアルミ押出形材を所定長さに切断して所定の加工を施すことによってフェンス用の斜め桟をなすものとしてある。
【００１０】
上記表裏配置の押出中空材１を相欠き接合した格子組みは，表裏双方の押出中空材１の交差位置にそれぞれ１／２深さに相欠きの切欠き２を施すとともに少なくとも表裏一方の押出中空材１における片側又は両側の切残し壁３にその切欠き部２と逆方向に向けて傾斜した切起し突起４を形成し，上記相欠きの切欠き部２を相互に嵌め合うとともに上記切残し壁３の切起し突起４に表裏他方の押出中空材１における切欠き部２の縁部をやり過ごし係止することによって行なったものとしてあり，本例にあって上記切起し突起４は，これを表裏一方の押出中空材１における片側の切残し壁３に配置し，上記やり過ごし係止を交差位置１箇所において行ったものとしてある。
【００１１】
即ち本例の押出中空材１は共通のものを用いてこれに加工を施すことによって表裏用それぞれのものとして用いるようにしてあり，押出中空材１には，その所定位置に切欠き加工を施すことによって相欠きの切欠き２を所定ピッチに配置してあり，本例の切欠き２は，上記共通の押出中空材１を用いたことによって同一形状及び寸法の共通の切欠き部２としてあり，このとき本例の相欠きの切欠き２は，例えば幅を，押出中空材１の表面幅８ｍｍ程度に合わせて約８ｍｍ強，深さを，押出中空材１の側面高さ１３ｍｍ程度の１／２の約６〜７ｍｍとし，それぞれ押出中空材１の長手方向に，例えば１０〜１５ｃｍ程度のピッチで等間隔に配置してあり，本例の建築用格子仕切体Ａにあって格子は斜め格子であることから，相欠きの切欠き２は，それぞれ押出中空材１を傾斜方向に交差するように，本例にあっては，例えば５２〜５３度程度の押出中空材１の交差角度に沿う角度をなすように押出中空材１の長手方向に対して所定角度に傾斜配置したものとしてある。
【００１２】
一方切起し突起４は，表裏配置した押出中空材１のうち表裏一方の押出中空材１における両側面の片側に，例えば切欠き部２から金型を挿入しその切残し壁３，即ち押出中空材１の切欠き部２を配置した交差位置にしてその上記１／２深さの切欠きによって残った側面高さの１／２高さの切残し壁３に切起し加工を施すことによって切欠き部２の切欠き方向先端側，即ち押出中空材１側面の表面又は裏面方向端部に位置するように配置してあり，このとき該切起し突起４は，数ｍｍの幅と高さに切欠き部２と逆方向に向けて，即ち切欠き部２の切欠き方向先端側に向けて緩傾斜してその先端が切残し壁３から破断するか，破断する直前まで隆起し，押出中空材１長手方向に平行な数ｍｍ幅の係止縁部を形成するようにしてあり，本例にあって該切起し突起４は，その上記係止縁部の出幅を１ｍｍ程度と，可及的に小さく且つ後述の確実なやり過ごし係止をなし得るようにしてある。
【００１３】
切起し突起４の上記係止縁部は，これを表裏他方の押出中空材１の肉厚，本例にあっては共通の押出中空材１を用いたことによってその共通材の肉厚分の寸法を，上記切欠き部２の切欠き方向先端から，即ち中空押出材１の側面縁部から残した箇所に位置するようにしてあり，これによって該切起し突起２の係止縁部が，後述の相欠き接合において表裏他方の押出中空材１を嵌め合いを行ったときにその押出中空材１の切欠き部２における表面又は裏面側の切欠き縁部にして，特にその中空部内の内側縁部がこの切起し突起４にやり過ごし係止するようにしてある。
【００１４】
このように形成することによって交差位置にそれぞれ切欠き部２を，そして一方の押出中空材１の切残し壁３の片側に切起し突起４を備えた表面用及び裏面用の押出中空材１は，これを相互に相欠き接合することによって格子体としての格子組みを行うものとしてあり，該格子組みは，表裏の押出中空材１を，例えば上記５２〜５３度程度の傾斜角度で交差配置することによって各切欠き部２を対向させて加圧することによって相互の嵌め合いとこれによるやり過ごし係止を行うようにしてあり，このとき嵌め合い後のやり過ごし係止を接合手段とし，これによって表裏の押出中空材１を各交差位置において該位置１箇所において固定するようにしてあり，本例のやり過ごし係止は，表裏一方の緩傾斜した切起し突起４を，表裏他方の切欠き部２の表面又は裏面側の切欠き縁部が傾斜面に沿ってこれを押圧しながら乗り越えるように摺動し，これが切起し突起４を通過したときに，切起し突起４が弾発的に切欠き縁部に引っ掛り係止することによって自動的に双方を固定するようにしてあり，これにより各交差位置における接合を確実に行うとともに接合後の押出中空材１同士のガタツキを可及的に抑制し得るようにしてある。
【００１５】
またこのとき切起し突起４を一方の押出中空材１の片側の切残し壁３に配置し，やり過ごし係止を交差位置１箇所で行なったことによって，傾斜した切起し突起４の上記摺動通過は切欠き部２の片側のみでなされれば済むから，相当程度の接合強度を確保しながら，特段に大きな加圧力を必要とするといったこともなく，その製造を可及的容易なものとすることが可能となる。
【００１６】
格子組みは切欠き部２を対向して加圧することによって行なえばよいから，格子仕切体Ａの製造が可及的に容易となるとともに押出中空材１同士の各交差位置の交点毎に接合固定される結果，格子仕切体Ａは，充分な面強度と高度な耐水平荷重性を確保するとともに押出中空材１の嵌め合いが外れる可能性を減少し，指等を挟む危険性を解消することができる。
【００１７】
図中５は上記固定枠６と相欠きの嵌め合いを行なって格子組みした押出中空材１に固定枠６を設置するように押出中空材１の長手方向端部に形成した相欠きの切欠き部，９は固定枠６の前後突条７をスライド自在に係合することによって該固定枠９を上下枠８に支持するように上下枠に設置したコ字状の対向溝，１０は上記固定枠６の長手方向端部に螺着して押出中空材１の長手方向端部を図示省略の切欠き部に受け入れることによって格子仕切体Ａの幅方向端部を画するように配置した割型構成とした縦枠を示す。
【００１８】
図示した例は以上のとおりとしたが，上記切起し突起を交差双方の押出中空材における片側の切残し壁にそれぞれ配置することによって押出中空材を表裏双方で共通化するとともに上記やり過ごし係止を交差位置２箇所において行うようにすることを含めて，格子仕切体，押出中空材，切欠き部，切起し突起の具体的構造，材質，形状，これらの関係，これらに対する付加等は，上記発明の要旨に反しない限り様々な形態のものとすることができ，以上に具体的に説明した例のものに限定するものではない。
【００１９】
【発明の効果】
本発明は以上のとおりに構成したから，請求項１に記載の発明は，相欠きの嵌め合いに伴って交差位置における押出中空材同士の自動的な固定をなし得るようにして格子体として高度な面強度と耐水平荷重性を確保し且つ指等を挟む危険性を解消するとともに上記押出中空材の自動的な固定を少なくとも一方の押出中空材の切り残し壁に切り起し加工によって傾斜した切起し突起を配置し，該切起し突起に対して相欠きの切欠き部が乗り越えて引っ掛るようにやり過ごし係止するものとして簡易且つ確実な固定とこれにより可及的に製造を容易化した建築用格子仕切体を提供することができる。
【００２０】
請求項２に記載の発明は，上記に加えて，可及的に充分な面強度と耐水平荷重性を確保するとともに，やり過ごし係止を複数箇所で行なうことによる切欠き部の嵌め合いのための大きな加圧力を必要とすることなく，可及的に製造を容易化したものとすることができる。
【００２１】
請求項３に記載の発明は，同じく上記に加えて，高度な面強度と耐水平荷重性を確保するとともに，押出中空材の加工が表裏で異なることによる加工の煩雑性を解消し，押出中空材の加工を可及的に表裏で共通化することによって，量産性に適したものとすることができる。
【図面の簡単な説明】
【図１】建築用格子仕切体の正面図である。
【図２】図１のＡ−Ａ線縦断面図である。
【図３】図１のＢ−Ｂ線横断面図である。
【図４】押出中空材の相欠き接合の構造を示す分解斜視図である。
【図５】押出中空材の正面図である。
【図６】押出中空材の側面図である。
【符号の説明】
Ａ　仕切体
１　押出中空材
２　切欠き部
３　切り残し壁
４　切起し突起
５　切欠き部
８　上下枠
１０　縦枠
【図１】
2004068482.tif 000003
【図２】
2004068482.tif 000004
【図３】
2004068482.tif 000005
【図４】
2004068482.tif 000006
【図５】
2004068482.tif 000007
【図６】
2004068482.tif 000008